(57)【要約】【課題】配置場所に関係なく容易に接地をとることのできるスピーカを提供する。【解決手段】スピーカ１は、リング状のスピーカケース１０の内面に深皿状のヨーク１１を備え、ヨーク１１の内部中心に磁石１２とポールピース１３を固定している。ヨーク１１とポールピース１３の間に入り込むコイル１５を取り付けたダイヤフラム状の振動板１４が、ヨーク１１に覆い被さる形でスピーカケース１０に固定される。振動板１４を覆う金属部品に、スピーカケース１０の外面に所定角度隔てて設定した２箇所以上に露出する接地用端子１８を形成する。金属部品はプロテクタ１６であり、接地用端子１８はスピーカケース１０の外面の四方に設けられている。【選択図】図１
2007129305.tif 000002
【特許請求の範囲】
【請求項１】
振動板を覆う金属部品に、スピーカケース外面に所定角度隔てて設定した２箇所以上に露出する接地用端子を形成したことを特徴とするスピーカ。
【請求項２】
前記接地用端子が、スピーカケース外面の四方に形成されていることを特徴とする請求項１に記載のスピーカ。
【請求項３】
前記金属部品が前記振動板のプロテクタであることを特徴とする請求項１又は２に記載のスピーカ。
【発明の詳細な説明】
【技術分野】
【０００１】
本発明は接地用端子を備えたスピーカに関する。
【背景技術】
【０００２】
スピーカを備えた機器においては、スピーカ及びそれに接続された回路を静電気から保護するため、スピーカを接地する必要がある。接地を容易にするため、接地用端子を形成したスピーカもある。特許文献１に記載されたものがそれである。
【０００３】
特許文献１記載のスピーカでは、振動部を弾性的に支持する支持板と一体に接地用端子を形成し、これをケースから突き出しておく。そして支持板とヨークを点溶接や導電性接着剤による接着など、導電性のある方法で接合する。スピーカを回路基板に実装すると、接地用端子が回路基板上の接地パターンに接触する。これにより、ヨークその他の部品が接地され、これらの部品は帯電しなくなり、静電気による回路部品の破損等は起きなくなる。
【特許文献１】特開２００１−４５５９４号公報（段落［００１６］、図１）
【発明の開示】
【発明が解決しようとする課題】
【０００４】
図４、５にスピーカの取り付け方の一例を示す。図４はスピーカを取り付けた筐体の正面図、図５はその断面図である。筐体１００は図において右寄りの箇所にスピーカグリル１０１を有し、その内側にスピーカ１０２を取り付けている。筐体１００の内部の図において左寄りの領域は回路基板１０３を配置する領域となっていて、スピーカ１０２を配置した領域とは隔壁１０４で仕切られている。このような構成であると、特許文献１記載のスピーカの場合、接地用端子を回路基板上の接地パターンに届かせて接触させることができない。どうしても届かせようと思えば、接地用端子を非常に長くする必要が生じ、回路基板上の接地パターンとの接触性、機構的強度、スピーカのコストの面から不利になる。場合によっては接地用端子の位置や向きを変える必要も生じ、そうなると支持板成形金型の変更を余儀なくされ、多大なコストがかかる。部品の汎用化も不可能となる。
【０００５】
本発明は上記の点に鑑みなされたものであり、配置場所に関係なく容易に接地をとることのできるスピーカを提供することを目的とする。
【課題を解決するための手段】
【０００６】
（１）上記目的を達成するために本発明のスピーカは、振動板を覆う金属部品に、スピーカケース外面に所定角度隔てて設定した２箇所以上に露出する接地用端子を形成したことを特徴としている。
【０００７】
この構成によると、振動板を覆う金属部品を接地することにより、振動板及びその周辺の部品を静電気から良く保護することができる。また単一の金属部品に複数の接地用端子を形成すれば良いから、製作容易でコストもかからない。そして、スピーカと回路基板の接地パターンとが離れていても、どちらか接地パターンに近い方の接地用端子を利用して接地をとることができる。
【０００８】
（２）また本発明は、上記構成のスピーカにおいて、前記接地用端子が、スピーカケース外面の四方に形成されていることを特徴としている。
【０００９】
この構成によると、いずれかの接地用端子は回路基板の接地パターンの方を向くので、比較的短い導体で接地をとることが可能となる。
【００１０】
（３）また本発明は、上記構成のスピーカにおいて、前記金属部品が前記振動板のプロテクタであることを特徴としている。
【００１１】
この構成によると、プロテクタが振動板を物理的な力からも静電気からも保護することになり、簡単な構造で効果的にスピーカを保護することができる。
【発明の効果】
【００１２】
本発明によると、振動板を覆う金属部品により振動板及びその周辺の部品を静電気から良く保護することができるうえ、スピーカと回路基板の接地パターンとが離れていても、接地パターンに近い場所に形成された接地用端子を利用して比較的短い導体で接地をとることができる。
【発明を実施するための最良の形態】
【００１３】
以下、本発明の一実施形態を図１〜３に基づき説明する。図１はスピーカの断面図、図２はスピーカの上面図、図３はスピーカの下面図である。
【００１４】
スピーカ１を組み立てる上で中心となるのは合成樹脂製のスピーカケース１０である。スピーカケース１０はリング状であり、その内側に深皿状のヨーク１１がインサート成型されている。ヨーク１１は純鉄やパーマロイなどの磁性材料で形成される。ヨーク１１の内部中心には平面形状円形の磁石１２が固定され、磁石１２の天面には円板の形をしたポールピース１３が固定される。
【００１５】
ダイヤフラム状の振動板１４がヨーク１１に覆い被さるように配置される。振動板１４の周縁はスピーカケース１０に固定される。振動板１４の下面にはリング状のコイル１５が取り付けられる。コイル１５はヨーク１１の内周面とポールピース１３の外周面との間のギャップに入り込み、図において上下方向に振動する。
【００１６】
振動板１４の上に、これを覆う金属部品を配置する。本実施形態における金属部品はプロテクタ１６である。プロテクタ１６は金属板をドーム形に成形し、複数の空気抜き穴１７を打ち抜いたものである。プロテクタ１６の周縁には、９０゜間隔で計４個の接地用端子１８が放射状に形成されている。スピーカケース１０の口縁部に形成したスリット１９から接地用端子１８を外に出し、スピーカケース１０の下面を抱き込むように接地用端子１８を折り曲げることにより、プロテクタ１６はスピーカケース１０に固定される。
【００１７】
スピーカケース１０の下面には、図３に見られるように、コイル１５に接続する信号用端子２０を２箇所に設ける。信号用端子２０にはコイル１５に通電するための導線２１が接続される。またスピーカケース１０の外面に露出している４個の接地用端子１８のうち１個を選んで導線２２を接続し、この導線２２を図示しない回路基板の接地パターンに接続する。導線２２を接続する接地用端子１８としては、接地パターンに最も近接したものを選ぶ。これにより、比較的短い導線２２を用いて接地をとることが可能になる。
【００１８】
本実施形態では、接地用端子１８はスピーカケース１０を放射方向に貫通し、スピーカケース１０の外周面を回り込んでスピーカケース１０の下面に達するものとしたが、接地用端子１８がスピーカケース１０を上下に貫通し、直接スピーカケース１０の下面に露出する構成も可能である。また接地用端子１８の長さを短くし、本実施形態のようにスピーカケース１０の下面まで届かせることなく、スピーカケース１０外周面を抱くだけとしてもよい。さらに、接地用端子１８を形成する金属部品はプロテクタ１６に限られない。振動板１４を覆う他の金属部品があれば、その金属部品に接地用端子１８を形成してもよい。
【００１９】
以上本発明の一実施形態につき説明したが、発明の主旨を逸脱しない範囲でさらに種々の変更を加えて実施することができる。
【産業上の利用可能性】
【００２０】
本発明は、スピーカ全般に利用可能である。
【図面の簡単な説明】
【００２１】
【図１】スピーカの断面図
【図２】スピーカの上面図
【図３】スピーカの下面図
【図４】スピーカを取り付けた筐体の正面図
【図５】スピーカを取り付けた筐体の断面図
【符号の説明】
【００２２】
１    スピーカ
１０  スピーカケース
１４  振動板
１６  プロテクタ
１８  接地用端子
【図１】
2007129305.tif 000003
【図２】
2007129305.tif 000004
【図３】
2007129305.tif 000005
【図４】
2007129305.tif 000006
【図５】
2007129305.tif 000007